(57)【特許請求の範囲】
【請求項１】
各種パターン上を摺動する摺動子を取り付ける摺動型物において、
前記摺動型物の前記摺動子近傍には、摺動子が他の部材に触れることを防止する摺動子保護部を設け、
さらに前記摺動子保護部の高さを、前記摺動子の接点の高さと同一以上の高さに形成したことを特徴とする摺動型物。
【請求項２】
前記摺動型物はスライド型の摺動型物であり、前記摺動子保護部は前記摺動子のスライド方向に向かって左右両側の内の少なくとも一方に設けられていることを特徴とする請求項１記載の摺動型物。
【請求項３】
前記摺動型物は回転型の摺動型物であり、回転する摺動子の外周側の位置に設けられていることを特徴とする請求項１記載の摺動型物。
【請求項４】
摺動子を取り付けた摺動型物を、各種パターンを設けた基板上に載置して基板に対して摺動型物を移動することで各種パターンへの摺動子の摺接位置を変化せしめる構造の電子部品において、
前記摺動型物の摺動子近傍には、摺動子が他の部材に触れることを防止する摺動子保護部を設けるとともに、前記基板にはその上に載置した摺動型物の摺動子保護部をその移動範囲にわたって挿入する挿入部を設けたことを特徴とする電子部品。
【発明の詳細な説明】
【０００１】
【発明の属する技術分野】
本発明は、スライド型電子部品や回転型電子部品の摺動型物及び電子部品に関するものである。
【０００２】
【従来の技術】
従来、例えばスライド型の電子部品（可変抵抗器やスイッチ）は、基板上に摺動型物を載置してその上をケースで覆い、該摺動型物をスライドすることで摺動型物の下面に取り付けた摺動子を基板に設けた直線状の各種パターン（例えば抵抗体パターンと導体パターン）に摺動させ、これによって各種パターン間の抵抗値を変化させるように構成している。
【０００３】
【発明が解決しようとする課題】
しかしながら従来、前記摺動子は摺動型物の下面に露出するように取り付けられているので、これを基板とケースの間に組み込んだ後は何ら問題ないが、摺動型物に摺動子を取り付けたもの単体のときにこれを保管したり輸送したり組み立てたりする際は、摺動子が他の部材に触れることで折れ曲がるなどの問題が生じていた。この問題は回転型電子部品用の摺動型物に取り付けた摺動子の場合も同様に生じる。
【０００４】
本発明は上述の点に鑑みてなされたものでありその目的は、摺動型物に取り付けた摺動子に外部の部材が触れることを防止できる摺動型物及び該摺動型物を用いた電子部品を提供することにある。
【０００５】
【課題を解決するための手段】
上記問題点を解決するため本発明は、各種パターン上を摺動する摺動子を取り付ける摺動型物において、前記摺動型物の前記摺動子近傍に、摺動子が他の部材に触れることを防止する摺動子保護部を設け、さらに前記摺動子保護部の高さを、前記摺動子の接点の高さと同一以上の高さに形成したことを特徴とする。
また前記摺動型物はスライド型の摺動型物であり、前記摺動子保護部は前記摺動子のスライド方向に向かって左右両側の内の少なくとも一方に設けられていることを特徴とする。
また前記摺動型物は回転型の摺動型物であり、回転する摺動子の外周側の位置に設けられていることを特徴とする。
また本発明は、摺動子を取り付けた摺動型物を、各種パターンを設けた基板上に載置して基板に対して摺動型物を移動することで各種パターンへの摺動子の摺接位置を変化せしめる構造の電子部品において、前記摺動型物の摺動子近傍には、摺動子が他の部材に触れることを防止する摺動子保護部を設けるとともに、前記基板にはその上に載置した摺動型物の摺動子保護部をその移動範囲にわたって挿入する挿入部を設けたことを特徴とする。
【０００６】
【発明の実施の形態】
以下、本発明の実施形態を図面に基づいて詳細に説明する。
図１，図２は本発明を適用したスライド型可変抵抗器の分解斜視図であり、図１は上側から見た図、図２は下側から見た図である。両図に示すようにこのスライド型可変抵抗器は、基台１０上にフレキシブル基板２０と本発明を適用した摺動型物３０とを載せ、その上をケース６０で覆って構成されている。以下各構成部品について説明する。
【０００７】
基台１０は硬質のモールド樹脂板で構成され、その所定位置に直線状の２本の凹状の挿入部１１，１１（その長さは下記する摺動型物３０の摺動子保護部４１，４１をその移動範囲にわたって挿入する長さ）を設け、またその四隅に小孔１３を設けて構成されている。なお基台１０の材質は積層板など、他の各種材質のものを用いても良い。
【０００８】
フレキシブル基板２０は可撓性のある合成樹脂シートの表面に直線状の抵抗体パターン２１と導電体パターン２３とを平行に設け、両パターン２１，２３の左右両側に２本の貫通する挿入部２５，２５（その長さは下記する摺動型物３０の摺動子保護部４１，４１をその移動範囲にわたって挿入する長さ）を設け、さらにその四隅に小孔２７を設けて構成されている。なお挿入部２５，２５の位置と前記基台１０の挿入部１１，１１の位置は一致しており、また小孔１３と小孔２７の位置も一致している。
【０００９】
摺動型物３０はモールド樹脂製であり、長方形状の基部３１の上面中央につまみ部３３を設け、またその一側面にはクリックアーム３５を設け、一方その下面四隅には脚３７を設け、摺動子５０を小突起３９の熱カシメによって固定し、さらに固定した摺動子５０近傍の左右両側（摺動子５０のスライド方向に向かって左右両側）に板状に突出する摺動子保護部４１，４１を設けて構成されている。クリックアーム３５は略Ｔ字状に形成されており、その両先端からは側方に向けて突出部３８，３８が突出されている。
【００１０】
摺動子５０は金属板製であり、その先端を折り曲げることで接点５１が形成されている。
【００１１】
ここで図３は摺動子５０を取り付けた摺動型物３０の側面図である。同図に示すように摺動子保護部４１，４１はその高さを摺動子５０の接点５１の高さ（接点５１に何ら負荷が加わっていないときの高さ）よりも高くなるように（なお同一以上の高さであればよい）形成している。
【００１２】
次に図１，図２に戻ってケース６０はモールド樹脂製であり、その下面に前記摺動型物３０をスライド自在に収納する直線状の凹部６１を設け、その一方の内側面に凹凸状のクリック係合部６３を設け、また凹部６１の中央には前記つまみ部３３をスライド自在に貫通する長孔６５を設け、さらにケース６０の下面四隅には小突起６７を設けて構成されている。
【００１３】
そしてこのスライド型可変抵抗器の組み立ては、逆様にしたケース６０の凹部６１内に摺動型物３０を挿入し、その上にフレキシブル基板２０と基台１０を載せ、ケース６０の小突起６７を小孔２７と小孔１３に貫通してその先端を熱カシメして固定することで行なう。
【００１４】
図４は組み立てたスライド型可変抵抗器の概略側断面図（図１のＡ−Ａ部分の断面図）である。同図に示すように２つの摺動子保護部４１，４１は挿入部２５，２５に挿入されて貫通し、さらに挿入部１１，１１に達している。同時に摺動子５０の接点５１は両パターン２１，２３に弾接している。そしてつまみ部３３によって摺動型物３０をスライドすれば、摺動子５０の接点５１が両パターン２１，２３に弾接する位置が移動してその抵抗値が変化する。なお摺動型物３０のスライドの際、クリックアーム３５の突出部３８，３８がクリック係合部６３に弾接するのでクリック感覚が生じる。
【００１５】
本発明においては、図３に示すように摺動子５０の接点５１の高さよりも高い摺動子保護部４１，４１を摺動子５０の左右両側近傍に設けたので、摺動子５０を取り付けた摺動型物３０単体を保管したり輸送したり組み立てる際などに、摺動子５０に外部の他の部材が触れることがなくなる。
【００１６】
一方この摺動子保護部４１，４１は図４に示すように組み立てたときは邪魔にならないように挿入部２５，２５と挿入部１１，１１内に挿入されるが、もしつまみ部３３が上から押圧された場合、摺動型物３０が下降しようとするが、この摺動子保護部４１，４１の先端が挿入部１１，１１の底面に当接することでこれを防止し、摺動型物３０が下降することで摺動子５０が押し潰されるような不都合が防止される作用も生ずる。
【００１７】
なお上記実施形態においては摺動子５０の左右両側に摺動子保護部４１，４１を設けたが、一方の側のみに摺動子保護部４１を設けても良い。
【００１８】
図５は本発明を回転型電子部品に適用した場合の概略分解斜視図である。同図に示すようにこの回転型電子部品は、ケース７０内にフレキシブル基板８０と回転型の摺動型物９０の基部９１とを収納し、その上をカバー１１０で覆って構成されている。
【００１９】
ここでケース７０はモールド樹脂を円形に成形してその上面側に収納部７５を設け、かつ該収納部７５の底面に円弧状の貫通しない凹状の挿入部７１（その長さは下記する摺動型物９０の摺動子保護部９７をその移動範囲にわたって挿入する長さ）と中央に円形の貫通孔７３とを設けて構成されている。なおケース７０の外周側面の図示しない位置には下記するフレキシブル基板８０の突出部８５を外部に突出するための溝が設けられている。
【００２０】
フレキシブル基板８０は可撓性のシートを円形に形成し、その上面に図示しない抵抗体パターン（又はスイッチパターン）と導体パターンとを設け、またこれらパターンの外側には円弧状に貫通する挿入部８１（その長さは下記する摺動型物９０の摺動子保護部９７をその移動範囲にわたって挿入する長さ）を設け、またその中央には円形の貫通孔８３を設け、さらにその外周には前記パターンをケース７０の外に引き出す舌片状の突出部８５を設けて構成されている。
【００２１】
次に摺動型物９０はモールド樹脂製であり、円板状の基部９１の上面中央から円柱状のつまみ９３を突出して設け、基部９１の下面中央から小突起９５を突出し、更に該下面に金属板製の摺動子１００を小突起９６の熱カシメによって取り付け、該摺動子１００を取り付けた部分近傍の外周側の位置に円弧板状に突出する摺動子保護部９７を設けて構成されている。摺動子保護部９７の高さは摺動子１００先端の接点１０１の高さ（接点１０１に何ら負荷が加わっていないときの高さ）よりも高く（なお同一以上の高さであればよい）なるように形成している。
【００２２】
そしてケース７０内にフレキシブル基板８０と摺動型物９０の基部９１を収納し、その上にカバー１１０を覆って図示しない固定手段で一体化することによって回転型電子部品を構成する。このとき摺動子１００の接点１０１はフレキシブル基板８０上の図示しないパターンに弾接し、摺動子保護部９７は挿入部８１を貫通して挿入部７１内にまで挿入される。摺動型物９０を回転すると接点１０１がパターン上を摺動してその出力を変化し、同時に摺動子保護部９７は挿入部８１，７１内を移動する。
【００２３】
この実施形態においても摺動子保護部９７が摺動子１００の近傍に設置されているので、摺動子１００を取り付けた摺動型物９０単体を保管したり輸送したり組み立てる際などに、摺動子１００に外部の他の部材が触れる恐れを防止できる。また組み立てた回転型電子部品のつまみ９３にこれを押圧する力が負荷されても、摺動子保護部９７の先端が挿入部７１の底面に当接することでこれを支え、摺動子１００が押し潰されることはない。
【００２４】
なお上記実施形態では基板としてフレキシブル基板を用いたが、硬質基板など、他の基板を用いても良い。硬質基板を用いた場合は図１に示す基台１０（又は図５に示すケース７０）は必ずしも必要ない。また摺動型物の構造はもちろん、ケースやカバー等の電子部品を構成する各部材の構造も種々の変形が可能であることは言うまでもない。また基台１０に設けた挿入部１１，１１やケース７０に設けた挿入部７１は貫通孔であっても良い。要は各種パターン上を摺動する摺動子を取り付ける摺動型物を用いた構造の電子部品であれば、どのような電子部品にも適用できる。
【００２５】
【発明の効果】
以上詳細に説明したように本発明によれば、摺動型物に取り付けた摺動子に外部の部材が触れることを効果的に防止できるという優れた効果を有する。
【図面の簡単な説明】
【図１】本発明を適用したスライド型可変抵抗器の分解斜視図である。
【図２】本発明を適用したスライド型可変抵抗器の分解斜視図である。
【図３】摺動子５０を取り付けた摺動型物３０の側面図である。
【図４】組み立てたスライド型可変抵抗器の概略側断面図（図１のＡ−Ａ部分の断面図）である。
【図５】本発明を適用した回転型電子部品の分解斜視図である。
【符号の説明】
１０  基台
２０  フレキシブル基板
２１  抵抗体パターン（各種パターン）
２３  導電体パターン（各種パターン）
３０  摺動型物
４１，４１  摺動子保護部
５０  摺動子
５１  接点
６０  ケース
７０  ケース
８０  フレキシブル基板
９０  摺動型物
９１  基部
９７  摺動子保護部
１００  摺動子
１０１  接点
【図１】
0003584173.tif 000002
【図２】
0003584173.tif 000003
【図３】
0003584173.tif 000004
【図４】
0003584173.tif 000005
【図５】
0003584173.tif 000006